(57)【要約】【課題】特殊な専用工具を用いることなく、ネジ頭部に形成した十字穴などのネジ本体を回すための工具を受ける溝または穴のいずれかからなる工具受け部が潰れたネジを簡単かつ容易に取り外すことができるネジの構造を提供する。【解決手段】外周面にネジ部２を形成した軸部３と、この軸部３の一方の端部にネジ本体１を回すための工具を受ける十字穴４を形成したネジ頭部５とを有するネジにおいて、ネジ頭部５の十字穴４の中心部に外端が開口し、かつ内端が軸部まで達してネジ軸線方向にのびるネジ穴６を設けるとともに、このネジ穴６に螺入される第２のネジ７の締め付け方向とネジ部２の締め付け方向とを互いに逆方向に構成する。【選択図】  図２
2005163968.tif 000002
【特許請求の範囲】
【請求項１】
外周面にネジ部を形成した軸部と、この軸部の一方の端部にネジ本体を回すための工具を受ける溝または穴のいずれかからなる工具受け部を形成したネジ頭部とを有するネジにおいて、
前記工具受け部の中心部に外端が開口しかつ内端が前記軸部まで達してネジ軸線方向にのびるネジ穴を設けるとともに、このネジ穴に螺入される第２のネジの締め付け方向と前記ネジ部の締め付け方向とを互いに逆方向としたことを特徴とするネジの構造。
【請求項２】
前記ネジ穴は、穴の径が異なる複数のネジ穴で構成されたことを特徴とする請求項１記載のネジの構造。
【請求項３】
前記ネジ穴は、ネジ切りのピッチおよび穴の径が異なる複数のネジ穴で構成されたことを特徴とする請求項１または２記載のネジの構造。
【発明の詳細な説明】
【技術分野】
【０００１】
本発明は、ネジ頭部に形成した十字穴などのネジ本体を回すための工具を受ける溝または穴のいずれかからなる工具受け部が潰れていても取り外すことができるネジの構造に関する。
【背景技術】
【０００２】
従来、ネジ頭部の十字穴が潰れたネジを取り外す方法としては、タッピングネジまたはドリルと引っ掛け部とを先端に設けた逆回しビットを用いて、潰れたネジ頭部の十字穴へ誘導穴をあけ、この穴あけ時の摩擦抵抗と引っ掛け部の抵抗とによって、十字穴が潰れたネジを取り外す方法が提案されている（例えば、特許文献１参照）。
【０００３】
また、他の方法としては、潰れたネジ頭部の十字穴に細径のドリルで下穴をあけ、左ネジの抜き取りネジ部を有するネジ抜き用ビットの先端を下穴に喰い込ませて、左方向へ十字穴が潰れたネジを回転させて抜き取る方法が提案されている（例えば、特許文献２参照）。
【特許文献１】特開２００１−１６２５５２号公報（第２―３頁、第１図）
【特許文献２】特開２００１−２６００４７号公報（第２頁、第１図）
【発明の開示】
【発明が解決しようとする課題】
【０００４】
従来のネジ頭部の十字穴が潰れたネジを取り外す方法においては、ネジ頭部の十字穴が潰れたネジへ取り外すための穴をあける特殊な工具を用いる必要があり、また、この特殊な工具は、他に利用する方法がなく、汎用性にかけるという問題点があった。
【０００５】
さらに、上述したような特殊な工具を用いて潰れたネジ頭部の十字穴へ取り外すための穴をあける際に、微細な削りカスが発生し、この微細な削りカスが精密電子機器本体内などへ入り込み故障発生の要因となる虞があった。また、この従来の方法は、潰れたネジ頭部の十字穴へ取り外すための穴をあける必要があるため、ネジの材質によっては、大きなトルクを必要とし、特殊な工具を手の力では回すことができない場合もあり、簡単にネジを取り外すことができないという問題点があった。
【０００６】
本発明は、従来のネジ頭部の十字穴が潰れたネジを取り外す方法の有するこのような問題点に鑑みてなされたものであり、その目的とするところは、特殊な専用工具を用いることなく、ネジ頭部に形成した十字穴などのネジ本体を回すための工具を受ける溝または穴のいずれかからなる工具受け部が潰れたネジを簡単かつ容易に取り外すことができるネジの構造を提供しようとするものである。
【課題を解決するための手段】
【０００７】
上記の目的を達成するために、本発明のネジの構造においては、外周面にネジ部を形成した軸部と、この軸部の一方の端部にネジ本体を回すための工具を受ける溝または穴のいずれかからなる工具受け部を形成したネジ頭部とを有するネジにおいて、ネジ頭部の工具受け部の中心部に外端が開口しかつ内端が軸部まで達してネジ軸線方向にのびるネジ穴を設けるとともに、このネジ穴に螺入される第２のネジの締め付け方向とネジ部の締め付け方向とを互いに逆方向としたものである。
【０００８】
また、上記ネジ穴は、穴の径が異なる複数のネジ穴で構成することもできる。
【０００９】
さらに、上記ネジ穴は、ネジ切りのピッチおよび穴の径が異なる複数のネジ穴で構成することもできる。
【発明の効果】
【００１０】
本発明のネジの構造は、以下に記載されているような効果を奏する。
【００１１】
ネジ頭部に形成した十字穴などのネジ本体を回すための工具を受ける溝または穴のいずれかからなる工具受け部が潰れたネジを特殊な専用工具を用いることなく容易に取り外すことが可能となった。
【００１２】
ネジ頭部の工具受け部の中心に設けたネジ穴へ第２のネジを螺入し、その第２のネジを締め付け方向へ回すことにより、ネジ頭部の工具受け部が潰れたネジを小さなトルクで容易かつ確実に取り外すことができる。
【００１３】
ネジ頭部の工具受け部の中心に、あらかじめネジ切りされたネジ穴を設けたことにより、ネジ頭部の工具受け部が潰れたネジを取り外す場合に、ネジ穴へ第２にネジを螺入しても、微細な金属の削りカスが発生しない。したがって、削りカスを取り除く手間や削りカスが精密電子機器に付着して残っているかどうかの確認の手間を必要とせず、また、金属の削りカスが原因となる電気的な故障の発生を防止することができる。
【発明を実施するための最良の形態】
【００１４】
外周面にネジ部を形成した軸部と、この軸部の一方の端部にネジ本体を回すための工具を受ける溝または穴のいずれかからなる工具受け部を形成したネジ頭部とを有するネジにおいて、ネジ頭部の工具受け部の中心部に外端が開口しかつ内端が軸部まで達してネジ軸線方向にのびるネジ穴を設けるとともに、このネジ穴に螺入される第２のネジの締め付け方向とネジ部の締め付け方向とを互いに逆方向としたネジの構造。
【実施例１】
【００１５】
図１（ａ）および図１（ｂ）は、本発明に係るネジの構造の第１に実施例を示す断面図および平面図である。図２は、図１に示す第１の実施例のネジ取り外し動作を説明するための断面図である。
【００１６】
この図１（ａ）および図１（ｂ）に示す本発明の第１の実施例において、１はネジ本体であって、外周面に右ネジ（時計方向へ回して締め付ける）のネジ部２を形成した軸部３と、この軸部３の一方の端部にネジ本体１を回すための工具のプラスドライバを受ける十字穴４を形成したネジ頭部５を設けている。
【００１７】
また、ネジ頭部５の十字穴４の中心部には、外端が開口しかつ内端が軸部３にまで達してネジ軸線方向へのびるネジ穴６を設けている。このネジ穴６の内径は、プラスドライバを使用する際に、影響を与えない程度に形成している。また、このネジ穴６は、左ネジ（半時計方向に回して締め付ける）の第２のネジ７を螺入することができるように構成している。したがって、このネジ穴６に螺入される第２のネジ７の締め付け方向と、軸部３に設けたネジ部２の締め付け方向とは、互いに逆方向となるように設けている。
【００１８】
次に、図２にもとづき、ネジ頭部５の十字穴４が潰れたネジ本体１をネジ止めした部材８から取り外す方法について述べる。まず、図２に示すように、第２のネジ７を潰れた十字穴４に設けたネジ穴６へ半時計方向に回しながら螺入する。この第２のネジ７がネジ穴６へ完全に螺入された後も、第２のネジ７に対して半時計方向への回転力を加え続けると、ネジ穴６を設けた軸部３へ大きな左方向への回転力が伝わり、ネジ本体１は、左方向へ回転、即ち締め付け状態が緩む方向へ回転し、ネジ本体１をネジ止めした部材８から確実に取り外すことができる。
【実施例２】
【００１９】
図３（ａ）は、本発明に係るネジの構造の第２の実施例を示す説明図である。
【００２０】
図３（ａ）に示す本発明の第２の実施例は、ネジ頭部５に設けたネジ穴６の内径を複数持たせて形成したものである。この図３（ａ）に示すネジ本体１は、ネジ頭部５に近い手前側に内径の大きいネジ穴９を設けるとともに、奥側に内径の小さなネジ穴１０を設けている。
【００２１】
この内径の異なるネジ穴９または１０へ軸部１１の直径が大きい第２のネジ１２あるいは軸部１３の直径が小さい第２のネジ１４を状況に応じて選択し、使用できるように構成することにより、ネジ頭部５の十字穴４が潰れたネジ本体１を取り外す際に用いる第２のネジの使用範囲を広げることが可能となった。
【実施例３】
【００２２】
図３（ｂ）は、本発明に係るネジの構造の第３の実施例を示す説明図である。
【００２３】
この図３（ｂ）に示す第３の実施例は、ネジ頭部５に設けたネジ穴６の内径を複数持たせ、かつその内径の異なる各ネジ穴にピッチがそれぞれ異なるネジ部を１５および１６を設けている。
【００２４】
まず、ネジ頭部５に近い手前側に内径が大きくかつ細かいネジ切ピッチ（密）のネジ部１５を設けるとともに、奥側に内径が小さく、かつ粗いネジ切りピッチのネジ部１６を設けている。
【００２５】
一方、第２のネジ１９は、図３（ｂ）に示すように、軸部１７の直径が大きくかつ細かいネジ切りピッチ（密）のネジ部１８を設け、ネジ穴６のネジ部１５ヘ螺入するように構成している。また、第２のネジ２２は、軸部２０の直径が小さくかつ粗いネジ切りピッチのネジ部２１を設け、ネジ穴６のネジ部１６ヘ螺入する用に構成している。このように、直径およびネジ切りピッチの異なる第２のネジ１９または第２のネジ２２を状況に応じて選択して使用できるようにし、十字穴４が潰れたネジ本体１を取り外す際に用いる第２のネジの使用範囲を広げることが可能となった。
【実施例４】
【００２６】
上述した各実施例においては、軸部に設けたネジ部を右向きにねじ切り（時計方向に回して締め付ける）するとともに、第２のネジを左向きにねじ切り（半時計方向に回して締め付ける）した場合について説明したが、これとは全く逆に、軸部に設けたネジ部を左向きにねじ切りを施し、第２のネジを右向きにねじ切りを施した場合においても、同様の効果を得ることができる。
【００２７】
また、上述した各実施例においては、ネジ本体のネジ頭部あるいは第２のネジの頭部にプラスドライバ用の十字穴を設けた場合について説明したが、ネジ本体を回すための工具を受けるマイナス溝、六角穴などが形成されていても良い。このように形成することで、マイナスドライバや六角棒レンチなどの工具を用いてネジ本体、あるいは第２のネジを所定の方向へ回すことが可能となる。
【実施例５】
【００２８】
図４（ａ）に示すように、ネジ本体１をネジ止めした部材８から取り外す作業中に、仮に、ネジ頭部５のネジ穴に螺入した第２のネジ７の十字穴が潰れるような事態が発生しても、第２のネジ７のネジ頭部が突出しているため、この第２のネジ７のネジ頭部をペンチなどの工具を用いて挟み込み、引き抜くことにより、ネジ本体１をネジ止めした部材８から取り外すことができる。
【００２９】
また、図４（ｂ）に示すように、ネジ本体１あるいは第２のネジ７が空転するいわゆる「ネジ馬鹿」の状態になった場合においても、あらかじめ、第２のネジ７として比較的長い軸部を持ったネジを使用することにより、第２のネジ７のネジ頭部を突出させた状態にすることができるので、ドライバなどの工具を用いて、この第２のネジ７を持ち上げるようにしながら、この第２のネジ７を締め付け方向へ回転させることにより、ネジ本体１を取り外すことが可能となる。
【図面の簡単な説明】
【００３０】
【図１】本発明の第１の実施例を示す断面図および平面図である。
【図２】図１の第１の実施例のネジ本体をネジ止めした部材から取り外しを行なう場合を示す説明図である。
【図３】本発明の第２の実施例を示す説明図である。
【図４】本発明に用いる第２のネジの十字穴が潰れた場合の取り外し方法を示す説明図である。
【符号の説明】
【００３１】
１      ネジ本体
２      ネジ部
３      軸部
４      十字穴
５      ネジ頭部
６      ネジ穴
７      第２のネジ
８      ネジ止めした部材
９、１０    ネジ穴
１１    軸部
１２    第２のネジ
１３    軸部
１４    第２のネジ
１５、１６    ネジ部
１７    軸部
１８    ネジ部
１９    第２のネジ
２０    軸部
２１    ネジ部
２２    第２のネジ
【図１】
2005163968.tif 000003
【図２】
2005163968.tif 000004
【図３】
2005163968.tif 000005
【図４】
2005163968.tif 000006